(57)【要約】      （修正有）【課題】アクセサリーとしての装飾性を有するカード類を格納して使用するケースを提供する。【解決手段】ケースは、色挿しされた弾性材料で構成される枠であり、枠の内側全周又は略全周に板状の対象物４１０を係止する凹溝を設けた。枠には枠内方に向けて突起状の対象物離脱防止爪０４０２が設けられている。【選択図】図４
0003201765.tif 000002
【実用新案登録請求の範囲】
【請求項１】
色挿しされた弾性材料で構成される枠であり、枠の内側全周又は略全周に板状の対象物を係止する凹溝を設けたことを特徴とするケース。
【請求項２】
前記弾性材料はソフトＰＶＣである請求項１に記載のケース。
【請求項３】
枠は枠内方に向けて対象物離脱防止爪が設けられている請求項１又は２に記載のケース。
【請求項４】
前記枠の一部は凹溝の底がなく、かつ、枠央部よりに迂回している請求項１から３のいずれか一に記載のケース。
【請求項５】
枠から枠央部に向けて延在する架橋部を有する請求項１から４のいずれか一に記載のケース。
【請求項６】
枠から枠外に向けて延在する枠外延在部を有する請求項１から５のいずれか一に記載のケース。
【考案の詳細な説明】
【技術分野】
【０００１】
本件考案は、カード類を格納して使用するケースであり、アクセサリーとしての装飾性を有するものに関する。
【背景技術】
【０００２】
従来より、パスケース等、各種カードケースが知られている。
【特許文献１】実登第３１３０９０６号
【考案の開示】
【考案が解決しようとする課題】
【０００３】
しかしながら、従来のパスケースは、ケース本体にカードを入れて使用するものであり、カードがパスケースに覆われてしまうため、カードの表面・裏面に表わされた情報、装飾等の視認性が低く、どのカードが収納されているのか分かりづらいという問題があった。また、パスケースの素材をシリコンとすると、その素材特性から、さまざまな色を使った凹凸表現が困難なため、特にコストが重視される製品について、デザインの幅が限定されるという問題があった。
【課題を解決するための手段】
【０００４】
以上の課題を解決するため、第一の考案は、色挿しされた弾性材料で構成される枠であり、枠の内側全周又は略全周に板状の対象物を係止する凹溝を設けたことを特徴とするケースを提供する。
【０００５】
第二の考案は、前記弾性材料はソフトＰＶＣである第一の考案に記載のケースを提供する。
【０００６】
第三の考案は、枠は枠内方に向けて対象物離脱防止爪が設けられている第一又は第二の考案に記載のケースを提供する。
【０００７】
第四の考案は、前記枠の一部は凹溝の底がなく、かつ、枠央部よりに迂回している第一から第三の考案のいずれか一に記載のケースを提供する。
【０００８】
第五の考案は、枠から枠央部に向けて延在する架橋部を有する第一から第四の考案のいずれか一に記載のケースを提供する。
【０００９】
第六の考案は、枠から枠外に向けて延在する枠外延在部を有する第一から第五の考案のいずれか一に記載のケースを提供する。
【考案の効果】
【００１０】
本件考案によれば、ケースに入れたカード等の表面・裏面の大部分が外部に露出するため、どのカードを持ち歩いているかや、カードの表面・裏面に表わされた情報、装飾等をすぐ視認することが可能である。また、ケースに入れたまま、身分証等の両面提示が可能である。さらに、ケース自体に着色することが可能であるため、アクセサリーとしての装飾性を向上させることが可能である。
【図面の簡単な説明】
【００１１】
【図１ａ】ケースの正面図
【図１ｂ】Ａ−Ａ箇所の断面の拡大図
【図２】ケースの斜視図
【図３】ケースの試作品の写真
【図４】対象物離脱防止爪を有するケース及び板状対象物の概念図
【図５ａ】対象物離脱防止爪を有するケースに板状対象物を格納した場合の概念図
【図５ｂ】Ｂ−Ｂ箇所の断面の拡大図
【図６ａ】第四の考案のケースの正面図
【図６ｂ】第四の考案のケースの迂回部分の拡大図
【図７】第五の考案のケースの正面図
【図８】第六の考案のケースの正面図
【符号の説明】
【００１２】
０１００      ケース
０１０１      凹溝
０４０２      対象物離脱防止爪
０４１０      板状対象物
０４１１      挿通孔
０６０４      迂回部分
０７０５      枠から枠央部に向けて延在する架橋部
０８０６      枠外に向けて延在する枠外延在部
【考案を実施するための最良の形態】
【００１３】
以下に本件考案の実施例を説明する。実施例１は請求項１から３について、実施例２は、請求項４について、実施例３は請求項５について、実施例４は請求項６について説明している。なお、本件考案はこれらの実施例に限定されるものではなく、その要旨を逸脱しない範囲において、種々なる態様で実施しうる。
【００１４】
≪実施例１≫
【００１５】
＜概要＞
実施例のケースは、色挿された弾性材料で構成される枠であり、枠の内側全周又は略全周に板状の対象物（以下「板状対象物」という。）を係止する凹溝を設けたことを特徴とするケースであることを基本とし、その他の特徴をも有する。
【００１６】
図１ａは、ケース（０１００）の正面図である。  図１ｂは、図１ａでＡ−Ａで示された箇所の断面の拡大図であり、凹溝（０１０１）を説明するための図である。図２は、ケースの斜視図である。図３は、ケースの試作品の写真である。
【００１７】
＜構成＞
（ケース）
「ケース」（図１ａ・０１００）は、色挿された弾性材料で構成される枠であり、枠の内側全周又は略全周に板状対象物を係止する凹溝（図１ｂ・０１０１、図２・０２０１）を設けたことを特徴とする。本ケースは、板状対象物（図４・０４１０）の外周を、枠の内側全周又は略全周に設けられた凹溝に嵌めこんで使用する（図５ａ参照）。
【００１８】
（凹溝）
「凹溝」（図１ｂ・０１０１、図２・０２０１）は、ケースの内側全周又は略全周に設けられている凹状の溝であり、溝部分に後述する板状対象物を格納するよう構成される。本ケースは、弾性材料で構成されるため、伸縮性によって、凹溝へ板状対象物を嵌めこんで格納したり、取り外したりすることが容易である。また、板状対象物を格納した状態では、凹溝に嵌められた対象物の外周をケース内側から押圧し続けることになるため、板状対象物が外部に露出した状態でもケースと分離して落下する心配も少ない。例えば溝底の全周長が対象物の外周全周長の９５％から９８％程度とすると良い。
【００１９】
（ソフトＰＶＣ）
弾性材料は、ソフトＰＶＣであることが好ましい。ソフトＰＶＣとは、軟化ポリ塩化ビニルのことであり、熱を加えることによって軟化するので、形成が容易である。また、添加する可塑剤の量によって硬質にも軟質にもなり、優れた耐水性・耐酸性・耐アルカリ性・耐溶剤性を持ち、さらに難燃性、電気絶縁性という性質も有する。このような優れた物性を持ちながら、比較的安価である。さらに、完全に硬化する前段階であれば、さまざまな色遣いの材料を組み合わせることや、細かな細工も可能であるため、多様なデザインのケースを提供することが可能である。
【００２０】
（板状対象物）
「板状対象物」（図４・０４１０）は、カード、名刺、紙片など、多少の厚みを持った物がこれにあたる。タブレット菓子の入ったケースであってもよい。本ケースの内側全周又は略全周に設けられている凹溝の幅に入るものであれば対象を問わない。また、前述したように、本ケースは弾性材料で作成されているため、板状対象物の厚さ方向の幅が凹溝の幅いっぱいにまで至らずとも、全周からの圧及び摩擦で保持することが可能であるため、板状対象物を落下させることなく安全に保持することが可能である（図５ｂ参照）。
【００２１】
（対象物離脱防止爪）
「対象物離脱防止爪」（０４０２）は、枠の枠内方に向けて設置されている、突起状の部材である。対象物離脱防止爪があることにより、枠の内側の形状が非直線的に形成される部分があるため、中に格納する板状対象物を覆う面積が部分的に広くなり、落下を防止する性質が向上する。さらに、対象物離脱防止爪は、板状対象物を本ケース内に格納するさいの耳になるため、そこをつまんで、枠を押し広げ、対象物を格納することが可能になるので、格納の容易性にも寄与する。
【００２２】
対象物離脱防止爪は、枠よりも盛り上げて形成されることが好ましい。これにより、指でつまみやすく、より「耳」としての機能を果たすことが可能である。また、でこぼこが形成されることにより、触った時の摩擦が大きくなるので、持ち易くなるという利点がある。
【００２３】
（対象物離脱防止爪の設置箇所）
対象物離脱防止爪の設置位置は、凹溝を挟んで両側の対応する位置に設けられていることが好ましい。この位置に設けられることにより、両方向から板状対象物を抑える範囲が広くなるため、より落下しにくくなる。
【００２４】
（枠の装飾を兼ねた枠装飾爪）
対象物離脱防止爪は、枠の装飾を兼ねた枠装飾爪であることが好ましい。出っ張りを活かして、自由にデザインすることが可能である。図４においては、花、ヘビが用いられている。このように、デザイン性を持たせることにより、消費者の関心を引き、購買につなげることができる。
【００２５】
（挿通孔）
枠の一部に、挿通孔（０４１１）を設けてもよい。挿通孔があることにより、チェーンや紐等吊り下げ用部材を通すことが可能であり、吊り下げて持ち運ぶことが可能となる。
【００２６】
＜効果＞
本実施例により、ケースに入れたカード等の表面・裏面の大部分が外部に露出するため、どのカードを持ち歩いているかをすぐ認識することが可能である。また、ケースに入れたまま、身分証等の両面提示が可能である。さらに、ケース自体に着色することが可能であるため、アクセサリーとしての装飾性を向上させることが可能である。
【００２７】
≪実施例２≫
【００２８】
＜概要＞
本実施例のケースは、実施例１に記載の構成のほかに、枠の一部は凹溝の底がなく、かつ、枠央部よりに迂回しているという特徴を有する。
【００２９】
＜構成＞
本実施例について、図６を用いて説明する。図６ａ中、点線で囲われた部分は、凹溝の底（図２参照）がなく、かつ、枠央部よりに枠の線が迂回している。凹溝の底がない部分は、凹溝に該当する部分が切れており、貫通して空洞となっている。この貫通部分の枠の線はケースの中央側に延在して本来の枠線上から迂回するように迂回部分（図６ａ０６０４）が設けられている。この迂回部分は、例えば市販のタブレット菓子を板状対象物（図６ｂ・０６１０）としてケースに格納し、ケースに入れたまま菓子を取り出すことが可能になる（図６ａの下の図及び図６ｂの迂回部分の拡大図参照）。また、凹溝の底がなく、かつ、枠央部よりに迂回している迂回部分は、一か所だけでなく、たとえば、ケースの四隅に設けられているものであってもよい。
【００３０】
＜効果＞
本実施例のケースの一部に底が貫通した迂回部分を設けることにより、タブレット菓子をケースに格納したまま菓子を取り出すことができるようになり、ケースの使用範囲を拡大させるとともに、さらにケースのデザインに遊び心やバリエーションを持たせることが可能となる。
【００３１】
≪実施例３≫
【００３２】
＜概要＞
本実施例のケースは、実施例１及び２に記載の構成のほかに、またはこれに加えて、枠から枠央部に向けて延在する架橋部を有する。
【００３３】
＜構成＞
（架橋部）
本実施例について、図７を用いて説明する。「架橋部」（０７０５）とは、枠の一部が枠央部に向けて延在し、枠の一辺と他の辺との間を架橋するよう構成される部分である。架橋部は、ケースの片面または両面のいずれであってもよい。枠と架橋部は、同素材で一体的に作られており、枠央部が架橋部によって透かしのような状態になる。透かしの模様の設計は、キャラクターデザインや、ステンドグラス風、モザイク風のものであってもよい。機能的には、架橋部を有することにより、枠のみの場合よりも板状対象物を覆う箇所が増えるため、板状対象物をより確実に固定し、脱落を防止する効果を有する。両面の略全面に架橋部を設ける場合には、枠を引き伸ばして板状対象物を格納することはできないので、枠の少なくとも一辺は、凹溝の底がなく貫通している必要があり、ケースに板状対象物を格納する場合には、袋の口から物を入れるがごとく、貫通部分から板状対象物を挿入することになる。
【００３４】
＜効果＞
本実施例により、デザイン性に優れ、かつ、格納された板状対象物を確実に固定するケースを提供することができる。
【００３５】
≪実施例４≫
【００３６】
＜概要＞
本実施例のケースは、実施例１から３記載の構成のほかに、またはこれに加えて、枠から枠外に向けて延在する枠外延在部を有する。
【００３７】
＜構成＞
（枠外延在部）
本実施例について、図８を用いて説明する。「枠外延在部」（０８０６）とは、枠から枠外に向けて延在する部分をいい、例えば、枠外延在部を輪状に形成することが考えられる。これにより、枠部分に挿通孔を設けることなく、例えば枠外延在部の輪状部分にケース本体をくぐらせて、バッグ類の持ち手部分に取り付けることが可能とある。また、枠外延在部の輪状部分に手持のストラップやチェーン等に接続してバッグなどに吊り下げても良い。枠と枠外延在部は、同素材で一体的に作られていてもよく、射出形成の方法により極めて簡易かつ早く吊り下げ可能な製品を完成させることができる。その他、図８とは異なり、枠外延在部を輪状に形成するのではなく、結び切り状に形成することにより、一方の枠外延在部と他方の枠外延在部をどこかに結び付けて使用することも可能であり、ケースの使用方法の可能性がさらに拡大させることが可能となる。
＜効果＞
本実施例により、枠部分に挿通孔を設けることなく、手持のストラップやチェーン等に接続してバッグなどに吊り下げることなどが可能となり、ケースの使用方法の可能性をさらに拡大させることが可能となる。
【図１ａ】
0003201765.tif 000003
【図１ｂ】
0003201765.tif 000004
【図２】
0003201765.tif 000005
【図４】
0003201765.tif 000006
【図５ａ】
0003201765.tif 000007
【図５ｂ】
0003201765.tif 000008
【図６ａ】
0003201765.tif 000009
【図６ｂ】
0003201765.tif 000010
【図７】
0003201765.tif 000011
【図８】
0003201765.tif 000012
【図３】
0003201765.tif 000013